(57)【要約】【課題】本発明は、冷蔵庫の扉等において、ビン類、小物類を収納する着脱可能に保持させた収納装置に関するもので、容器にビン類、小物類を大量に収納されて冷蔵庫の扉を開閉されても、容器の脱落を防止でき、かつ、容器の着脱が容易である冷蔵庫の扉を提供する。【解決手段】扉内板１の両側に配置された一対の土手部１ａに形成した突起２と、横方向に延出された土手部１ｂに形成した突起３とからなる扉内板１と、側壁４ａに形成した係合片５と、底面４ｂに形成した係合溝６からなる容器４とからなり、扉内板１に形成した突起２に容器４の係合片５を係合させると共に、扉内板１に形成した突起３に容器４の係合溝６を係合させて構成する。【選択図】図１
2008292092.tif 000002
【特許請求の範囲】
【請求項１】
ビン類、小物類を収納する着脱可能に保持された容器が、扉内板の両側に形成された一対の土手部の間に取り付けられ、この土手部の互いに対向する面にそれぞれ形成された一対の突起と、前記容器の両側壁に形成された係合片がそれぞれ係合して固定される冷蔵庫の収納容器において、扉内板の両側に形成された一対の土手部の互いに対向する面を接続するように形成された土手部と、この土手部の内側に形成された係合部を有し、この係合部に前記容器の底面に形成された係合部を係合させていることを特徴とする冷蔵庫の収納装置。
【発明の詳細な説明】
【技術分野】
【０００１】
本発明は、ビン類、小物類を収納する着脱可能に保持された容器を備える冷蔵庫の収納装置に関するものである。
【背景技術】
【０００２】
従来、上記のような冷蔵庫の収納装置として特許番号第２５９８１７０号や特開平７−２７００４８号に関するものがあった。
【０００３】
【特許文献１】特許番号第２５９８１７０号
【特許文献２】特開平７−２７００４８号
【発明の開示】
【発明が解決しようとする課題】
【０００４】
ビン類、小物類を収納する着脱可能に保持された容器が、扉内板の両側に形成された一対の土手部の間に取り付けられる収納装置では、容器に収納物を収納して冷蔵庫の扉を開閉すると、扉の開閉動作によって収納物に加わった慣性力で、収納物が移動する。
【０００５】
この際、容器は、扉内板の両側に形成された一対の土手部の間に取り付けられ、この土手部の互いに対向する面にそれぞれ形成された一対の突起と、前記容器の両側壁に形成された係合片がそれぞれ係合して固定されているので、収納物の移動によって容器の片一方の側壁が押されると、容器の取付位置が押された側に移動する場合がある。
【０００６】
容器の取付位置が当初の位置からずれてしまった場合には、扉内板の両側に形成された一対の土手部の互いに対向する面にそれぞれ形成された一対の突起と容器の両側壁に形成された係合片の係合状態の変化により、最悪の場合には扉内板から容器が脱落するという問題を生じている（収納物によって押された側の容器の側壁に形成された係合片と扉内板に形成された一対の突起では係合状態が増加する一方で、収納物によって押されていない容器の側壁では係合状態が減少するため、扉内板と容器の係合状態が保てなくなり、扉内板から容器が脱落する）。
【０００７】
従来は、扉内板の両側に形成された一対の土手部の互いに対向する面にそれぞれ形成された一対の突起と、容器の両側壁に形成された係合片の係合状態をきつくしたり、扉内板の両側に形成された一対の土手部と容器の両側壁での係合状態をきつくすることで容器の脱落を防いでいるが、容器の取外しが困難であった。
【０００８】
また、扉内板の両側に形成された一対の土手部の内側面に突起を追加して、扉内板と容器の係合部を増やすことにより容器の脱落を防ぐ場合には、容器のビン類や小物類を収納する容積が減少するという問題があった。
【０００９】
本発明は冷蔵庫の扉にビン類、小物類を収納して冷蔵庫の扉を開閉した場合においても、扉内板から容器が脱落すること抑制することが可能で、かつ、容器の着脱性の悪化や、収納容積の減少も抑制することができる冷蔵庫の収納装置を提供するものである。
【課題を解決するための手段】
【００１０】
上記課題を解決するため、本発明の冷蔵庫の収納装置は、ビン類、小物類を収納する着脱可能に保持された容器が、扉内板の両側に形成された一対の土手部の間に取り付けられ、この土手部の互いに対向する面にそれぞれ形成された一対の突起と、前記容器の両側壁に形成された係合片がそれぞれ係合して固定される冷蔵庫の収納容器において、扉内板の両側に形成された一対の土手部の互いに対向する面を接続するように形成された土手部と、この土手部の内側に形成された係合部を有し、この係合部に前記容器の底面に形成された係合部で係合させていることを特徴としている。
【発明の効果】
【００１１】
以上のように本発明の冷蔵庫の収納装置は、扉内板の両側に形成された一対の土手部の互いに対向する面にそれぞれ形成された一対の突起と、容器の両側壁に形成された係合片がそれぞれ係合して固定される冷蔵庫の収納容器において、扉内板の両側に形成された一対の土手部の互いに対向する面を接続するように形成された土手部と、この土手部の内側に形成された係合部を有し、この係合部に前記容器の底面に形成された係合部で係合させている構成である。
【００１２】
容器の底面に形成された係合部と土手部の係合部を係合させているので、容器に収納した収納物によって容器の側壁が押された場合でも、容器の取付位置の移動を抑制されるので、扉内板の両側に形成された一対の土手部の互いに対向する面にそれぞれ形成された一対の突起と、容器の両側壁に形成された係合片の係合状態が保持され易くなっているので、扉内板から容器が脱落しない効果がある。
【００１３】
また、本発明の冷蔵庫の収納装置は、容器の底面に形成された係合部と土手部の係合部を係合させているので、容器の着脱の際に容器と扉内板の係合する範囲を短くすることが可能であり、容器を着脱する際に必要な力を抑制させる効果がある。
【００１４】
なお、本発明の冷蔵庫の収納装置は、容器のビン類、小物類を収納する領域に、扉内板の突起を形成させる必要がないので、容器のビン類や小物類を収納する収納容積の減少を抑制させる効果がある。
【００１５】
さらに、本発明の冷蔵庫の収納装置は、容器の取付位置の移動を抑制させることができるので、扉内板の両側に形成された一対の土手部の厚みを薄くして容器の内容積を増加させる場合において、扉内板の両側に形成された一対の土手部の互いに対向する面にそれぞれ形成された一対の突起の突起寸法が短くなり、前記突起と容器の両側壁に形成された係合片との係合寸法が減少した場合においても、扉内板から容器が脱落しない効果がある。
【００１６】
これは、扉内板の両側に形成された一対の土手部の互いに対向する面にそれぞれ扉内板と別な素材で形成された突起状の部品を取り付けて、容器の両側壁に形成された係合片と係合させる場合においても、扉内板から容器が脱落しない効果がある。
【発明を実施するための最良の形態】
【００１７】
ビン類、小物類を収納する着脱可能に保持された容器が、扉内板の両側に形成された一対の土手部の間に取り付けられ、この土手部の互いに対向する面にそれぞれ形成された一対の突起と、前記容器の両側壁に形成された係合片がそれぞれ係合して固定される冷蔵庫の収納容器において、扉内板の両側に形成された一対の土手部の互いに対向する面を接続するように形成された土手部と、この土手部の内側に形成された係合部を有し、この係合部に前記容器の底面に形成された係合部を係合させている形態。
【実施例１】
【００１８】
以下、本発明の一実施例について図面を参照しながら説明する。
【００１９】
図１、図２、図３、図４に本発明の実施例を示す。
【００２０】
ビン類、小物類を収納する着脱可能に保持された容器4が、扉内板１の両側に形成された一対の土手部１ａの間に取り付けられ、この土手部１ａの互いに対向する面にそれぞれ形成された一対の突起２と、前記容器４の両側壁４ａに形成された係合片５がそれぞれ係合して固定される冷蔵庫の収納容器において、扉内板１の両側に形成された一対の土手部１ａの互いに対向する面を接続するように形成された土手部１ｂと、この土手部の内側に形成された係合部３を有し、この係合部３に前記容器４の底面４ｂに形成された係合部６を係合されている。
【００２１】
以上のように構成された冷蔵庫の収納装置において、容器４に収納物を収納して冷蔵庫の扉を開閉すると、扉の開閉動作によって収納物に加わった慣性力で、収納物が移動し、容器４の片一方の側壁４ａが押された場合においても、容器４の底面４ｂに形成された係合部６が扉内板１の両側に形成された一対の土手部１ａの互いに対向する面を接続するように形成された土手部１ｂの内側に形成された係合部３で係合していることにより、容器４の取付位置の移動が抑制されるため、土手部１ａに形成された一対の突起２と容器４の両側壁４ａに形成された係合片５の係合状態が保持され、扉内板１から容器４が脱落しない効果がある。
【００２２】
また、容器４の取付位置のずれ防止を容器４の底面で行うことにより、扉内板１への容器４の着脱の際、従来から形成されていた土手部１ａに形成された一対の突起２と容器４の両側壁４ａに形成された係合片５の係合以外の係合は、容器４が扉内板１に完全に取り付けられる際、または扉内板１から容器４を取り外す最初の時点以外にはないので、容器４の着脱作業性を容易に行える効果がある。
【００２３】
また、図８、図９に示すような容器４の両側壁４ａに形成された係合片５と扉内板１に形成された一対の突起２の係合状態を保持することを目的とした突起７を扉内板１に追加する必要がないため、容器のビン類や小物類を収納する容積の減少を抑制する効果がある。
【実施例２】
【００２４】
次に図５、図６に第２の実施例を示す。
【００２５】
ビン類、小物類を収納する着脱可能に保持された容器４が、扉内板１の両側に形成された一対の土手部１ａの間に取り付けられ、この土手部１ａの互いに対向する面にそれぞれ形成された一対の突起２と、前記容器４の両側壁４ａに形成された係合片５がそれぞれ係合して固定される冷蔵庫の収納容器において、扉内板１の両側に形成された一対の土手部１ａの互いに対向する面を接続するように形成された土手部１ｂと、この土手部の内側に形成された凹部または凸部形状の係合部３を有し、この係合部３に前記容器４の底面４ｂに形成された凹部または凸部形状の係合部６を係合されている。
【実施例３】
【００２６】
次に図７に第３の実施例を示す。
【００２７】
ビン類、小物類を収納する着脱可能に保持された容器４の収納容積を拡大するために、扉内板１の両側に形成された一対の土手部１ａの厚みを薄くする手段がある。
【００２８】
そこで、扉内板１の両側に形成された一対の土手部１ａの互いに対向する面に一対の突起２を形成できない場合があり、この場合に突起２の代わりに、扉内板１に扉内板１と別部品で形成された突起状の部品８を取り付ける手段がある。
【００２９】
この場合、扉内板１の両側に形成された一対の土手部１ａの厚みを減らしていることにより、扉内板１に取り付ける突起状の部品８の厚みも薄くする必要があるため、扉内板１に取り付ける突起状の部品８と容器４の両側壁４ａに形成された係合片５の係合寸法が扉内板１に突起２が形成された場合よりも短くする必要がある。
【００３０】
上記の場合においても、容器４の底面４ｂに形成された係合部６が扉内板１の両側に形成された一対の土手部１ａの互いに対向する面を接続するように形成された土手部１ｂの内側に形成された係合部３で係合していることにより、容器４の取付位置の移動が抑制されるため、土手部１ａに形成された一対の突起２と容器4の両側壁４ａに形成された係合片５の係合状態が保持され、扉内板１から容器４が脱落しない効果がある。
【産業上の利用可能性】
【００３１】
本発明は冷蔵庫の扉等において、ビン類、小物類を収納する着脱可能に保持させた収納装置に関するものである。
【図面の簡単な説明】
【００３２】
【図１】本発明の第１の実施例における冷蔵庫の扉の断面図。
【図２】冷蔵庫の扉の正面図。
【図３】上記冷蔵室扉における扉内板の要部斜視図。
【図４】上記冷蔵室扉に設置される容器の要部斜視図。
【図５】従来の技術における冷蔵庫の扉の断面図。
【図６】従来の技術における扉内板の要部斜視図。
【図７】本発明の第２の実施例における扉内板の要部斜視図。
【図８】本発明の第２の実施例における容器の要部斜視図。
【図９】本発明の第３の実施例における冷蔵庫の扉の断面図。
【符号の説明】
【００３３】
１…扉内板、１ａ…両側に形成された一対の土手部、１ｂ…互いに対向する面を接続するように形成された土手部、２…突起、３…係合部、４…容器、４ａ…側壁、４ｂ…底面、５…係合片、６…係合部、７…従来の技術における突起、８…別部品で形成された突起。
【図１】
2008292092.tif 000003
【図２】
2008292092.tif 000004
【図３】
2008292092.tif 000005
【図４】
2008292092.tif 000006
【図５】
2008292092.tif 000007
【図６】
2008292092.tif 000008
【図７】
2008292092.tif 000009
【図８】
2008292092.tif 000010
【図９】
2008292092.tif 000011